(57)【要約】【課題】アクセサリに適用されるクラスプであって、アクセサリの着脱が容易なクラスプを提供する。【解決手段】本発明のクラスプ（１０）は、一側面に開口部（１３０）が形成された第１の筐体（３０）と、前記開口を通じて前記第１の筐体に挿入された状態で該筐体に連結される挿入部材（２０）と、を備え、前記第１の筐体は、その内部に前記開口部を介して前記挿入部材を内部に固定する係止部（２１０）を備え、前記挿入部材は、第２の筺体と、複数のスリット（２２０）及び前記係止部と係合する切欠部（２００）を有する円筒状の挿入部（４０）と、一端に雄螺子を有し、前記挿入部を介して前記第２の筺体に挿入される軸（６０）と、前記軸を付勢する付勢手段（７０）と、前記第２の筺体及び前記付勢手段を介して前記軸と螺合する雌螺子を有する螺子締結部材（８０）とを備えることを特徴とする。【選択図】図３
2013158430.tif 000002
【特許請求の範囲】
【請求項１】
一側面に開口が形成された第１の筐体と、前記開口を通じて前記第１の筐体に挿入された状態で該筐体に連結される挿入部材と、
を備えるクラスプであって、
前記第１の筐体は、その内部に前記開口を介して前記挿入部材を内部に固定する係止手段を備え、
前記挿入部材は、
第２の筺体と、
複数のスリット及び前記係止手段と係合する切欠部を有する円筒状の挿入部と、
を備えることを特徴とするクラスプ。
【請求項２】
請求項１に記載のクラスプにおいて、
前記挿入部材は、
一端に雄螺子を有し、前記挿入部を介して前記第２の筺体に挿入される軸と、
前記第２の筺体を介して前記軸と螺合する雌螺子を有する螺子締結部材と、
をさらに備えることを特徴とするクラスプ。
【請求項３】
請求項２に記載のクラスプにおいて、
前記挿入部材は、前記軸を付勢する付勢手段をさらに備えることを特徴とするクラスプ。
【請求項４】
前記挿入部材は、前記螺子締結部材が押されながら引っ張られることにより、前記軸が押し出され、前記切欠部が前記複数のスリットにより内側に弾性的に押圧されやすくなり、前記切欠部が前記係止手段から外れることを特徴とする請求項３に記載のクラスプ。
【請求項５】
前記第１の筺体と前記第２の筺体は、連結部の回転を防ぐために、少なくとも一つの互いに嵌合する嵌合手段をさらに備えることを特徴とする請求項１ないし４の何れか一項に記載のクラスプ。
【請求項６】
前記第２の筺体は真珠であることを特徴とする請求項１ないし４の何れか一項に記載のクラスプ。
【請求項７】
前記第１の筺体と前記第２の筺体とは、略同一の外形を有することを特徴とする請求項１ないし５の何れか一項に記載のクラスプ。
【請求項８】
前記第１の筺体と前記第２の筺体とは、相互に異なる形状を有することを特徴とする請求項１ないし６の何れか一項に記載のクラスプ。
【請求項９】
請求項１ないし８の何れか一項に記載のクラスプを備えたアクセサリ。
【発明の詳細な説明】
【技術分野】
【０００１】
本発明はクラスプ（連結具）に関し、より詳細には、ネックレス、ブレスレット等の各種アクセサリに適用されるクラスプに関する。
【背景技術】
【０００２】
図１０は、従来の連結装置の例を示している（詳細は特許文献１参照）。この連結装置の両端部には、チェーン、ワイヤ等が接続され、ネックレス、ブレスレット等を形成する。この連結装置は、コアと、コアを中に収容する雄部品と、雌部品とから構成され、この雄部品が雌部品の中にスナップ係合されることにより、双方の部材は相互に連結され、その結果、装置がロックされる。
【先行技術文献】
【特許文献】
【０００３】
【特許文献１】特表２００８−５３４０９０
【発明の概要】
【発明が解決しようとする課題】
【０００４】
特許文献１の連結装置の雄部品３を雌部品２から解放するためには、ユーザは雄部品を軸方向Ｆ３（Ｏ）に引っ張り、スナップ係合を解除する構成である。しかしながら、雄部品のフィンガ部分が雌部品の係合部（傾斜部８ｂｉｓ）から外れるためには、引っ張る力によってコアが押し出されなければならず、この操作には相当な力を要し、特に力の弱いユーザには不便があった。
【０００５】
本発明は上述の不都合を斟酌して創案したものであり、本発明の目的は、アクセサリに適用されるクラスプであって、クラスプに連結されたアクセサリ部分に、引っかけるなどして意図しない力が加わった場合でも外れてしまうことがなく、かつアクセサリの着脱を容易にするクラスプを提供することである。一方、スポーツ時などにアクセサリを引っかけてクラスプの係合が外れないと、首などを圧迫してしまう危険性の高い場合もある。そこで、本発明の別の目的は、アクセサリに意図しない力が加わった際に、ユーザが操作しなくても、係合が自動的に解除されるクラスプを提供することである。
【課題を解決するための手段】
【０００６】
前記課題を解決するために創案された請求項１の発明は、一側面に開口が形成された第１の筐体と、前記開口を通じて前記第１の筐体に挿入された状態で該筐体に連結される挿入部材と、を備えるクラスプであって、前記第１の筐体は、その内部に前記開口を介して前記挿入部材を内部に固定する係止手段を備え、前記挿入部材は、第２の筺体と、複数のスリット及び前記係止手段と係合する切欠部を有する円筒状の挿入部と、を備えることを特徴とする。
【０００７】
前記課題を解決するために創案された請求項２の発明は、請求項１に記載のクラスプにおいて、前記挿入部材は、一端に雄螺子を有し、前記挿入部を介して前記第２の筺体に挿入される軸と、前記第２の筺体を介して前記軸と螺合する雌螺子を有する螺子締結部材と、をさらに備えることを特徴とする。
【０００８】
前記課題を解決するために創案された請求項３の発明は、請求項２に記載のクラスプにおいて、前記挿入部材は、前記軸を付勢する付勢手段をさらに備えることを特徴とする。
【０００９】
前記課題を解決するために創案された請求項４の発明は、前記挿入部材は、前記螺子締結部材が押されながら引っ張られることにより、前記軸が押し出され、前記切欠部が前記複数のスリットにより内側に弾性的に押圧されやすくなり、前記切欠部が前記係止手段から外れることを特徴とする。
【００１０】
前記課題を解決するために創案された請求項５の発明は、前記第１の筺体と前記第２の筺体は、連結部の回転を防ぐために、少なくとも一つの互いに嵌合する嵌合手段をさらに備えることを特徴とする。
【００１１】
前記課題を解決するために創案された請求項６の発明は、前記第２の筺体は真珠であることを特徴とする。
【００１２】
前記課題を解決するために創案された請求項７の発明は、前記第１の筺体と前記第２の筺体とは、略同一の外形を有することを特徴とする。
【００１３】
前記課題を解決するために創案された請求項８の発明は、前記第１の筺体と前記第２の筺体とは、相互に異なる形状を有することを特徴とする。
【００１４】
前記課題を解決するために創案された請求項９の発明は、請求項１ないし８の何れか一項に記載のクラスプを備えたアクセサリである。
【００１５】
請求項１の発明では、簡単な操作で筺体と挿入部材の着脱が可能である。また、一定の力が加えられない限りアクセサリの係合を維持でき、且つアクセサリに一定の強度の力が加えられた際には、自動的に係合が解除される。特にアクセサリが運動時に使用された際などに、どこかに引っかかってしまうと、首などが圧迫される危険性が高くなると考えられるが、そのような場合には、ユーザが手を使って操作しなくても係合が自動的に解除され、思わぬ事故を防ぐことが可能となる。
【００１６】
請求項２及び３の発明では、簡単な操作で筐体と挿入部材の着脱が可能である。挿入部材は、アクセサリの端部と間接的に連結する軸を備えるため、アクセサリ部分に意図しない力が加わっても、軸が引っ張られることにより、挿入部のスリットが外側に押し広げられ、接続を維持することが可能である。
【００１７】
請求項４の発明では、クラスプの接続の解除の操作において、付勢手段により軸が押し出される構造である。これにより、挿入部のスリットによる弾性力は、軸に抑制されることがなく、挿入部の切欠部が係止手段を通過しやすくなる。
【００１８】
請求項５の発明では、特に第１の筺体と第２の筺体が互いに非回転体の場合において、請求項１または２に記載のクラスプに加えて１つ以上の別の嵌合手段を設けることで、クラスプの回転を防ぐことができる。
【００１９】
請求項６ないし８の発明では、第１の筺体および第２の筺体の外形を任意の形状にすることが可能である。そのため、クラスプが特定の外形に限定されず、様々な形状のクラスプを提供することができる。
【００２０】
請求項９の発明では、本発明のクラスプをアクセサリの形態で提供することができる。
【発明の効果】
【００２１】
本発明によって、アクセサリの着脱が容易なクラスプを提供することが可能となる。また、アクセサリに意図しない力が加わった際に、接続が自動的に解除されるクラスプを提供することが可能となる。
【図面の簡単な説明】
【００２２】
【図１】本発明の第１の実施形態に係るクラスプを示した図面であり、（ａ）は斜視図で、（ｂ）は側面図である。
【図２】本発明の第１の実施形態に係るクラスプの分解図であり、（ａ）は雄側部材分解図、（ｂ）は雌側部材分解図、（ｃ）は挿入部材４０の先端を上面から見た図である。
【図３】本発明の第１の実施形態に係るクラスプの縦断面図であり、（ａ）ないし（ｃ）は接続手順を説明するための図である。
【図４】本発明の第３の実施形態に係るクラスプの縦断面図である。
【図５】本発明の第１の実施形態に係るクラスプの第１の変形例の縦断面図である。
【図６】本発明の第１の実施形態に係るクラスプの第２の変形例の斜視図である。
【図７】本発明の第１の実施形態に係るクラスプの第３の変形例の側面図である。
【図８】本発明の第１の実施形態に係るクラスプの第４の変形例の斜視図である。
【図９】本発明の第１の実施形態に係るクラスプの第５の変形例の縦断面図である。
【図１０】特許文献１が示すクラスプの縦断面図である。
【発明を実施するための形態】
【００２３】
図１ないし図３の添付図面を参照して、本発明の第１の実施形態に係るクラスプの構造を以下に詳細に説明する。
図１及び図２は、本発明の第１の実施形態に係るクラスプを示している。図１に示すようにクラスプ１０は、主に挿入部材２０と筐体３０とから構成される。
【００２４】
挿入部材２０は、略円筒状の挿入部４０と、この挿入部４０を支持する筺体５０と、挿入部４０を介して筺体５０に挿入される軸６０と、この軸６０を付勢するバネ７０と、挿入部４０と筺体５０とバネ７０を介して軸６０と螺合する螺子締結部材８０と、を備える。また、螺子締結部材８０は、雌螺子部９０と、筺体５０のアクセサリ側端部の内壁と略同一の径を有するエッジ部１００と、このエッジ部１００の端に形成され、孔を有する連結部１１０と、この連結部１１０の孔を貫通し、アクセサリの端部に連結する環部１２０（図１（ｂ）参照）を備える。
【００２５】
筐体３０は中空の箱形状に形成されており、開口部１３０から嵌め込まれて筺体３０の内部に配置される係止具１４０と、筺体３０のアクセサリ側端部と螺合する螺子締結部材１５０と、から構成される。また、螺子締結部材１５０は、筺体３０と螺合する雄螺子部１６０と、筺体３０のアクセサリ側端部の内壁と略同一の径を有するエッジ部１７０と、このエッジ部１７０の端に形成され、孔を有する連結部１８０と、この連結部１８０の孔を貫通し、アクセサリの端部に連結する環部１９０（図１（ｂ）参照）を備える。
【００２６】
図３（ａ）は、挿入部材２０と筺体３０の縦断面図を示している。この図を参照して、クラスプ１０の内部構造について説明する。
挿入部材２０の挿入部４０を介して筺体５０に挿入されている軸６０は、逆テーパー状に形成され、この先端部分の径は挿入部４０の先端部分の径より大きく、円柱状部分の径は挿入部４０の内径より小さい。
【００２７】
また、筐体５０の内部にはバネ７０が配置されている。このバネにより、互いに螺合している軸６０と螺子締結部材８０が付勢されている。従って、外部より力を作用させなければ、筐体５０の内部が画定する空間領域が保持される。
【００２８】
筺体３０の開口部１３０より嵌め込まれて、筺体３０の内部に配置された円筒状の係止具１４０は、その外径が筺体３０の開口部１３０の径と略同一であり、その後ろ側の内壁の径は開口部側内壁の径より大きくなっているため、この境界部分が、挿入部４０の切欠部２００を係止する係止部２１０として機能する。
【００２９】
以上がクラスプ１０を構成する挿入部材２０と筐体３０との構造である。次に、図３を参照して、挿入部材２０と筐体３０との接続手順について説明する。
図３（ａ）ないし（ｃ）は、挿入部材２０と筐体３０とを相互に接続させる場合のそれぞれの手順における双方の縦断面図を示している。
【００３０】
まず、ユーザは筺体３０と、挿入部材２０の筐体５０とを指で把持し、図３（ａ）に示すように、筐体３０に対して挿入部材２０を近づける方向（矢印の方向）に移動させ、図３（ｂ）に示すように、挿入部４０を係止具１４０の内部に導く。ここで、挿入部４０の横断面の先端部分の径は、係止具１４０の内壁が画定する領域の径よりも小さく、一番大きい部分の径は、係止具１４０の内壁が画定する領域の径よりも大きいが、挿入部４０の先端から入れられた複数のスリット２２０により、弾性的に内側に押圧されるため、挿入が可能となる。
【００３１】
次に、図３（ｃ）に示すように、ユーザが、筐体３０と筺体５０の先端同士が接触するまで挿入部４０を筺体３０の内部に押し込むと、挿入部４０の切欠部２００が係止具１４０の係止部２１０に達し、挿入部材２０が固定される。係止具１４０の後ろ側の内径は挿入部４０の一番大きい部分の径と略同一の長さを有するので、スリット２２０によって弾性的に押圧されていた挿入部４０の先端部が元の形状に戻る。
【００３２】
接続を解除する場合には、図３（ｃ）に示す状態で、筐体３０と、挿入部材２０の筺体５０とを把持し、引っ張ればよい。
【００３３】
挿入部材２０の筺体５０を筺体３０から引き離す力が働くと、スリット２２０は内側に押圧されるため、軸６０がバネ７０により付勢されて僅かに押し出され、切欠部２００が係止部２１０から外れて接続を解除することができる。
【００３４】
以上が挿入部材２０と筐体３０との接続手順である。また、他の接続手順として、ユーザが螺子締結部材８０を押しながら接続することにより、軸６０が挿入部４０から押し出された状態で筺体３０に挿入してもよい。
【００３５】
また、接続を解除する他の手順として、図３（ｃ）に示す状態で、螺子締結部材８０を指で押しながら筐体３０と、挿入部材２０の筺体５０とを把持し、引っ張ってもよい。
【００３６】
螺子締結部材８０が押されると、バネ７０が収縮して軸６０が挿入部４０の先端から押し出され、挿入部４０の先端と軸６０の間には間隙ができる。そのため、筺体５０を筺体３０から引き離す力が働いた際に、螺子締結部材８０が押されない時と比較して、スリット２２０が内側に押圧されやすくなり、切欠部２００が係止部２１０からより簡単に外れて、接続を解除することができる。
【００３７】
以上第１の実施形態によると、アクセサリを引っかけるなどして螺子締結部材８０の部分に力が加わり、引っ張られたとしても、螺子締結部材８０と連結している軸６０の逆テーパー状の先端部分が同時に引っ張られ、挿入部４０のスリット２２０を外側に弾性的に押し広げるので、接続が解除されることはない。
【００３８】
以上が本発明の第１の実施形態に係るクラスプの構造と接続手順である。次は、本発明の第２の実施形態に係るクラスプについて、図１に示した第１の実施形態のクラスプ１０と同一の参照番号を用いて説明する。
図示しない第２の実施形態に係るクラスプは、第１の実施形態に係るクラスプ１０における挿入部材２０のバネ７０を省いたものである。
【００３９】
このクラスプの雄側の挿入部材および雌側の筺体の接続手順は、第１の実施形態におけるクラスプ１０の挿入部材２０と筺体３０の接続手順と同様である。ただし、第２の実施形態では付勢手段を用いないため、螺子締結部材を押しながら操作する手順は含まない。
【００４０】
第２の実施形態では、第１の実施形態に係るバネ７０が除かれるため、螺子締結部材８０を押すことによる軸６０の制御は不可となるが、筺体５０の内部の中空領域を螺子締結部材８０の端部までの長さ分移動可能となるので、接続を解除する際に無理なく係合を外すことができる。また、この可動距離は僅少であるので、外観や使用感に影響を与えるものではない。
【００４１】
また、第１の実施形態と同様に、螺子締結部材８０の部分に力が加わり、引っ張られたとしても、螺子締結部材８０と連結している軸６０の逆テーパー状の先端部分が同時に引っ張られ、挿入部４０のスリット２２０を外側に弾性的に押し広げるので、接続が解除されることはない。
【００４２】
次は、本発明の第３の実施形態に係るクラスプについて説明する。
図４は、本発明の第３の実施形態に係るクラスプ３００の縦断面図を示している。
【００４３】
第３の実施形態に係るクラスプ３００は、第１の実施形態に係るクラスプ１０に比べて、挿入部材３１０の内部構造が異なる。
【００４４】
この挿入部材３１０は、第１の実施形態における挿入部材２０の軸６０とバネ７０とを省いた形態のものであり、よって螺子締結部材３４０は、雌側の螺子締結部材１５０と同様に、筺体３２０に直接螺合するように形成することができる。雌側の部材については、図１に示した第１の実施形態のクラスプ１０と同一であるため、同一の参照番号を付与していることに留意されたい。
【００４５】
このクラスプ３００の挿入部材３１０および筐体３０の接続手順は、第１の実施形態におけるクラスプ１０の挿入部材２０と筺体３０の接続手順と同様である。ただし、第３の実施形態では付勢手段を用いないため、螺子締結部材を押しながら操作する手順は含まない。
【００４６】
この設計によると、挿入部３３０は、第１の実施形態のように軸とバネによって制御されないため、クラスプ３００の挿入部材３１０および筐体３０を引き離す力が所定の領域に達すると、スリット３５０が内側に弾性的に押圧され、筺体３０の係止部２１０と挿入部３３０の切欠部３６０の係合が外れ、接続が解除される。アクセサリを引っかけてしまいやすい状況、例えばスポーツ時などには、自動的に接続が解除されるこのような形態のクラスプを用いることが好適である。
【００４７】
以上に渡って本発明の実施形態に係るクラスプの構造および機能について説明したが、本発明のクラスプはこれらの構造に限定されるものではない。
例えば、図５は、図１に示した第１の実施形態に係るクラスプ１０の第１の変形例の縦断面図である。第１の実施形態に係るクラスプ１０では、螺子締結部材８０のエッジ部１００は、筺体５０の内部に配置されているが、クラスプ４００においては、螺子締結部材４２０のエッジ部４３０が筺体４１０の外部に配置されており、エッジ部４３０を押圧すれば、軸６０が押し出される構造である。図１ないし図３に示すクラスプ１０の構造では、連結部１１０が押圧されるが、図５に示す変形例では、ユーザはエッジ部４３０を直接指で押圧できるので、操作がより簡単になる。
【００４８】
上述の第１ないし第３の実施形態、また第１の実施形態の第１の変形例に係るクラスプでは、雌側の筐体と雄側の筺体の外形が略同一かつ方向性のない回転体の場合を例示しているが、本発明のクラスプの形状はこれに限定されるものではない。以下に第１の実施形態の他の変形例に係るクラスプについて説明する。
【００４９】
図６は、第１の実施形態に係るクラスプ１０の第２の変形例の斜視図である。ここでは、クラスプ５００の雄側の筺体５１０および雌側の筺体５２０の接続部断面をＵ字型に凹凸形状をなすように形成することにより、それぞれの筺体が回転するのを防ぐことが可能である。
【００５０】
また、図７は、第１の実施形態に係るクラスプ１０の第３の変形例の側面図であり、図６に示した第２の変形例と同様の目的を持つ。図７に示すクラスプ６００は、角柱状の雄側の筺体６１０および雌側の筺体６２０を有し、第１の実施形態に係るクラスプ１０の挿入部材２０および係止具１４０に加えて、互いに嵌合する凹凸部材６３０を２対備える。これにより、雌雄の筺体の接続面が図７のように長方形を有する場合でも、クラスプが回転して捻れるのを防ぐことが可能である。
【００５１】
図８（ａ）及び（ｂ）は、第１の実施形態に係るクラスプ１０の第４の変形例の斜視図である。これも図６及び図７に示した第２及び第３の変形例と同様にそれぞれの筺体が回転するのを防ぐ目的を持つ。ここで、図８に示すクラスプ７００は、雄側の筺体７１０および雌側の筺体７２０から構成され、雄側の筺体７１０は、挿入部７４０の周辺に、雌側の筺体７２０の開口部７５０と嵌合するテーパー状挿入部７３０を有する。この変形例では、図８（ｂ）に示されるように、雌側の筺体７２０の開口部７５０は、テーパー状挿入部７３０と嵌合するように形成されており、さらにこの内部に雄側の挿入部７４０と接続される係止具の開口部７６０を有する。雌側の筺体７２０の開口部７５０の断面の短手方向の長さは、テーパー状挿入部７３０の先端の断面の長手方向の長さより若干長く構成されている。このような構成とすることで、テーパー形状がガイドとなり、どのような角度から雄側の筺体７１０が挿入されようとしても、ユーザはいずれかまたは両方の筺体をひねりながら挿入操作を行うだけで、簡単にクラスプ７００を接続することができる。
【００５２】
図９は、第１の実施形態に係るクラスプ１０の第５の変形例の縦断面図である。これは、クラスプ８００の雄側の筺体８１０を真珠としたものであり、機能や構造は第１の実施形態に係るクラスプ１０と同一である。このように筺体として使用可能なものは真珠に限られず、雌雄ともに様々な形状の筺体が使用可能である。
【００５３】
以上、図６ないし図９において、第１の実施形態に係るクラスプ１０の変形例を示したが、これらを第２および第３の実施形態に係るクラスプ３００に適用することも本発明の範囲内である。
【００５４】
本発明の各実施形態に係るクラスプを構成する各構成要素の材料は特定のものに限定されるものではなく、各種金属、樹脂等の任意の材料を用いてよい。同様に、各部材の製法も削り、張り合わせ、エッチング、金型やプレス機を用いたモールド加工等、任意の加工手法を用いてよい。
【００５５】
本発明のクラスプの用途は、真珠やチェーンなどから構成されるアクセサリを接続するための接続手段に限定されるものではない。代替的に、真珠やチェーンと、ペンダントヘッドとを接続するための接続手段に適用してもよい。この場合、予め種々のペンダントヘッドを用意して、ユーザのファッションや趣向に合ったペンダントヘッドを適宜選択して用いることが可能となる。
また、本発明の第１ないし第３の実施形態および各変形例において、雄側と雌側の筺体それぞれの一端に螺子締結部材を設け、チェーンなどが連結される形態のものとしたが、代替的に、紐状のアクセサリをそれぞれの筺体の一端から内部に挿入し、任意の方法で留めて固定するようにしてもよい。
【００５６】
さらに、本発明のクラスプの用途は主にアクセサリであるが、この用途に限定されるものではない。例えば、携帯電話の本体とストラップとを接続するための接続手段として使用することもできる。
さらに、本発明のクラスプは、雄側と雌側それぞれ複数の筺体を一体に接合して多連式のクラスプとすることもできる。
【００５７】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【符号の説明】
【００５８】
１０    クラスプ
２０    挿入部材
３０    筐体
４０    挿入部
５０    筺体
６０    軸
７０    バネ
８０    螺子締結部材
９０    雌螺子部
１００  エッジ部
１１０  連結部
１２０  環部
１３０  開口部
１４０  係止具
１５０  螺子締結部材
１６０  雄螺子部
１７０  エッジ部
１８０  連結部
１９０  環部
２００  切欠部
２１０  係止部
２２０  スリット
３００  クラスプ
３１０  挿入部材
３２０  筺体
３３０  挿入部
３４０  螺子締結部材
３５０  スリット
３６０  切欠部
４００  クラスプ
４１０  筺体
４２０  螺子締結部材
４３０  エッジ部
５００  クラスプ
５１０  筺体
５２０  筺体
６００  クラスプ
６１０  筺体
６２０  筺体
６３０  凹凸部材
７００  クラスプ
７１０  筺体
７２０  筺体
７３０  テーパー状挿入部
７４０  挿入部
７５０  開口部
７６０  係止具の開口部
８００  クラスプ
８１０  筺体（真珠）
【図１】
2013158430.tif 000003
【図２】
2013158430.tif 000004
【図３】
2013158430.tif 000005
【図４】
2013158430.tif 000006
【図５】
2013158430.tif 000007
【図６】
2013158430.tif 000008
【図７】
2013158430.tif 000009
【図８】
2013158430.tif 000010
【図９】
2013158430.tif 000011
【図１０】
2013158430.tif 000012